【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
第１コンテンツと該第１コンテンツとともに表示される第２コンテンツとを受信する端末装置に、
前記第１コンテンツと、該第１コンテンツを表示する際に前記端末装置から送信される配信要求に応じて該端末装置に配信される前記第２コンテンツとを表示する表示手順と、
前記端末装置に表示された前記第１コンテンツに対して行われるユーザの操作を検知する検知手順と、
前記検知手順によって前記ユーザの操作が検知された場合に、所定の第２コンテンツの周囲に配置された前記第１コンテンツ又は他の第２コンテンツを変動させることで、前記第１コンテンツに対して前記所定の第２コンテンツを相対的に強調表示させる変動手順と、
を実行させることを特徴とする表示プログラム。
【請求項２】
前記表示手順は、
前記第１コンテンツと前記第２コンテンツとを異なるレイヤで表示する、
ことを特徴とする請求項１に記載の表示プログラム。
【請求項３】
前記変動手順は、
前記検知手順によって前記ユーザの操作が検知された場合に、前記第１コンテンツ又は前記他の第２コンテンツの色を変動させることで前記所定の第２コンテンツを相対的に強調表示させる、
ことを特徴とする請求項１又は２に記載の表示プログラム。
【請求項４】
前記変動手順は、
前記検知手順によって前記ユーザの操作が検知された場合に、前記第１コンテンツ又は前記他の第２コンテンツを白色と黒色の濃淡のみで表示するように変動させることで前記所定の第２コンテンツを相対的に強調表示させる、
ことを特徴とする請求項１〜３のいずれか一つに記載の表示プログラム。
【請求項５】
前記変動手順は、
前記検知手順によって前記ユーザの操作が検知された場合に、表示対象の焦点距離をずらす処理であるぼかし処理により、前記第１コンテンツ又は前記他の第２コンテンツの表示態様を変動させることで前記所定の第２コンテンツを相対的に強調表示させる、
ことを特徴とする請求項１〜４のいずれか一つに記載の表示プログラム。
【請求項６】
前記検知手順は、
前記ユーザの操作として、前記表示手順によって表示されている前記第１コンテンツを移動させる移動操作がなされている状態を検知し、
前記変動手順は、
前記検知手順によって前記移動操作がなされている状態が検知された場合に、前記第１コンテンツに対して前記所定の第２コンテンツを相対的に強調表示させる、
ことを特徴とする請求項１〜５のいずれか一つに記載の表示プログラム。
【請求項７】
前記変動手順は、
前記第１コンテンツ又は前記他の第２コンテンツの表示態様を変動させることで前記第１コンテンツに対して前記所定の第２コンテンツを相対的に強調表示させた後、さらに前記検知手順によって所定の状態を検知した場合に、該第１コンテンツ又は該他の第２コンテンツの表示態様を元に戻すよう変動させる、
ことを特徴とする請求項１〜６のいずれか一つに記載の表示プログラム。
【請求項８】
前記変動手順は、
前記第１コンテンツに所定の第３コンテンツが含まれない場合に、前記第１コンテンツに対して前記所定の第２コンテンツを相対的に強調表示させる、
ことを特徴とする請求項１〜７のいずれか一つに記載の表示プログラム。
【請求項９】
前記変動手順は、
前記所定の第３コンテンツとして、前記変動手順を受け付けないよう設定されるコンテンツが含まれない場合に、前記第１コンテンツに対して前記所定の第２コンテンツを相対的に強調表示させる、
ことを特徴とする請求項８に記載の表示プログラム。
【請求項１０】
端末装置であって、
第１コンテンツと、該第１コンテンツとともに表示される第２コンテンツと、制御情報とを受け付ける受付部を備え、
前記制御情報は、
前記第１コンテンツと、該第１コンテンツを表示する際に前記端末装置から送信される配信要求に応じて該端末装置に配信される前記第２コンテンツとを表示する表示手順と、
前記端末装置に表示された前記第１コンテンツに対して行われるユーザの操作を検知する検知手順と、
前記検知手順によって前記ユーザの操作が検知された場合に、所定の第２コンテンツの周囲に配置された前記第１コンテンツ又は他の第２コンテンツを変動させることで、前記第１コンテンツに対して前記所定の第２コンテンツを相対的に強調表示させる変動手順と、
を前記端末装置に実行させることを特徴とする端末装置。
【請求項１１】
第１コンテンツと該第１コンテンツとともに表示される第２コンテンツとを受信する端末装置が実行する表示方法であって、
前記第１コンテンツと、該第１コンテンツを表示する際に前記端末装置から送信される配信要求に応じて該端末装置に配信される前記第２コンテンツとを表示する表示工程と、
前記端末装置に表示された前記第１コンテンツに対して行われるユーザの操作を検知する検知工程と、
前記検知工程によって前記ユーザの操作が検知された場合に、所定の第２コンテンツの周囲に配置された前記第１コンテンツ又は他の第２コンテンツを変動させることで、前記第１コンテンツに対して前記所定の第２コンテンツを相対的に強調表示させる変動工程と、
を含んだことを特徴とする表示方法。
【請求項１２】
第１コンテンツと該第１コンテンツとともに表示される第２コンテンツとを受信する端末装置に、制御情報を配信する配信部を備え、
前記制御情報は、
前記第１コンテンツと、該第１コンテンツを表示する際に前記端末装置から送信される配信要求に応じて該端末装置に配信される前記第２コンテンツとを表示する表示手順と、
前記端末装置に表示された前記第１コンテンツに対して行われるユーザの操作を検知する検知手順と、
前記検知手順によって前記ユーザの操作が検知された場合に、所定の第２コンテンツの周囲に配置された前記第１コンテンツ又は他の第２コンテンツを変動させることで、前記第１コンテンツに対して前記所定の第２コンテンツを相対的に強調表示させる変動手順と、
を前記端末装置に実行させることを特徴とする配信装置。
【請求項１３】
第１コンテンツと該第１コンテンツとともに表示される第２コンテンツとを受信する端末装置に、
前記第１コンテンツと、該第１コンテンツを表示する際に前記端末装置から送信される配信要求に応じて該端末装置に配信される前記第２コンテンツとを表示する表示手順と、
前記表示手順によって表示されている前記第１コンテンツを移動させる移動操作がなされている状態を検知する検知手順と、
前記検知手順によって前記移動操作がなされている状態が検知された場合に、所定の第２コンテンツの周囲に配置された前記第１コンテンツ又は他の第２コンテンツを変動させることで、前記第１コンテンツに対して前記所定の第２コンテンツを相対的に強調表示させる変動手順と、
を実行させることを特徴とする表示プログラム。
【手続補正２】
【補正対象書類名】明細書
【補正対象項目名】発明の名称
【補正方法】変更
【補正の内容】
【発明の名称】表示プログラム、端末装置、表示方法及び配信装置
【手続補正３】
【補正対象書類名】明細書
【補正対象項目名】０００１
【補正方法】変更
【補正の内容】
【０００１】
本発明は、表示プログラム、端末装置、表示方法及び配信装置に関する。
【手続補正４】
【補正対象書類名】明細書
【補正対象項目名】０００６
【補正方法】変更
【補正の内容】
【０００６】
本願に係る表示プログラムは、第１コンテンツと該第１コンテンツとともに表示される第２コンテンツとを受信する端末装置に、前記第１コンテンツと、該第１コンテンツを表示する際に前記端末装置から送信される配信要求に応じて該端末装置に配信される前記第２コンテンツとを表示する表示手順と、前記端末装置に表示された前記第１コンテンツに対して行われるユーザの操作を検知する検知手順と、前記検知手順によって前記ユーザの操作が検知された場合に、所定の第２コンテンツの周囲に配置された前記第１コンテンツ又は他の第２コンテンツを変動させることで、前記第１コンテンツに対して前記所定の第２コンテンツを相対的に強調表示させる変動手順と、を実行させることを特徴とする。